(57)【要約】      （修正有）【課題】チャンネル番号の入力の時以前に使用者によって入力されたチャンネル番号の目録を表示して使用者の便宜性を向上させることができるディスプレー装置及びその制御方法を提供する。【解決手段】ディスプレー装置及びその制御方法に関するものとして、ディスプレー装置は、映像信号を処理する映像処理部と、前記処理された映像信号を映像に表示するディスプレー部と、チャンネル番号の入力のための使用者入力を受信すると、以前に入力されたチャンネル番号の目録を表示チャンネル番号に目録にするように前期ディスプレー部を制御する制御部を含む。【選択図】図１
2013143777.tif 000002
【特許請求の範囲】
【請求項１】
映像信号を処理する映像処理部と；
前記処理された映像信号を映像に表示するディスプレー部と；
チャンネル番号の入力のための使用者の入力を受信すると、以前に入力されたチャンネル番号の目録を表示するように前記のディスプレー部を制御する制御部を含むことを特徴とするディスプレー装置。
【請求項２】
前記制御部は、所定のチャンネル番号が入力されて前記入力されたチャンネルを選局する使用者の入力を受信すると、前記入力されたチャンネル番号を前記チャンネル番号の目録に追加して表示するように前記ディスプレー部を制御することを特徴とする請求項１に記載のディスプレー装置。
【請求項３】
前記チャンネル番号を入力する使用者の入力は前記チャンネル番号の目録に表示されたチャンネル番号のうちいずれか一つを選択することを特徴とする請求項１に記載のディスプレー装置。
【請求項４】
前記ディスプレー部はチャンネル番号を入力するために数字のキーパッドを含む使用者のインターフェースを更に表示して、
前記チャンネル番号を入力する使用者の入力は前記数字のキーパッドに含まれた数字のうち少なくとも一つを選択することを特徴とする請求項１乃至請求項３のいずれか一項に記載のディスプレー装置。
【請求項５】
前記チャンネル番号を入力するための数字のキーパッドを含む使用者の入力部を更に含んで、
前記チャンネル番号を入力する使用者の入力は前記数字のキーパッドに含まれた数字のうち少なくとも一つを選択することを特徴とする請求項１乃至請求項３のいずれか一項に記載のディスプレー装置。
【請求項６】
前記ディスプレー部は前記チャンネル番号の目録を下降順、上昇順及びチャンネル選択の日時のうちいずれか一つによって整列し表示することを特徴とする請求項１項乃至請求項３のいずれか一項に記載のディスプレー装置。
【請求項７】
前記制御部は、所定期間の間選択されたチャンネル番号を前記チャンネル番号の目録に表示することを特徴とする請求１乃至請求項３のいずれか一項に記載のディスプレー装置。
【請求項８】
チャンネル番号の入力のための使用者の入力を受信する段階と；
以前入力されたチャンネル番号の目録を表示する段階を含むことを特徴とするディスプレー装置の制御方法。
【請求項９】
所定のチャンネル番号を入力する段階と；
前記入力されたチャンネルを選局する使用者の入力を受信する段階と；
前記入力されたチャンネル番号を前記チャンネル番号の目録に追加して表示する段階を更に含むことを特徴とする請求項８に記載のディスプレー装置の制御方法。
【請求項１０】
前記チャンネル番号の目録に表示されたチャンネル番号のうちいずれか一つを選択する段階を更に含むことを特徴とする請求項８に記載のディスプレー装置の制御方法。
【請求項１１】
前記チャンネル番号を入力するための数字のキーパッドを含む使用者のインターフェースを表示する段階を更に含んで、
前記チャンネル番号を入力する使用者の入力は前記数字のキーパッドに含まれた数字のうち少なくとも一つを選択することを特徴とする請求項８乃至請求項１０のいずれか一項に記載のディスプレー装置の制御方法。
【請求項１２】
前記ディスプレー装置はチャンネル番号を入力するために数字のキーパッドを含む使用者の入力部を更に含んで、
前記チャンネル番号を入力する使用者の入力は前記数字のキーパッドに含まれた数字のうち少なくとも一つを選択することを特徴とする請求項８乃至請求項１０のいずれか一項に記載のディスプレー装置の制御方法。
【請求項１３】
前記チャンネル番号の目録を表示する段階は、前記チャンネル番号の目録を下降順、上昇順及びチャンネル選択の日時のうちいずれか一つによって整列し表示することを特徴とする請求項８乃至請求項１０に記載のディスプレー装置の制御方法。
【請求項１４】
前記チャンネル番号の目録を表示する段階は、所定期間の間選択されたチャンネル番号を前記チャンネル番号の目録に表示することを特徴とする請求項８乃至請求項１０のいずれか一項に記載のディスプレー装置の制御方法。
【発明の詳細な説明】
【技術分野】
【０００１】
本発明は、ディスプレー装置及びその制御方法に関するものとして、より詳しくは使用者の入力結果を表示するディスプレー装置及びその制御方法に関するものである。
【背景技術】
【０００２】
ＴＶのようなディスプレー装置は、外部の多様な映像供給源から転送されたり又は自体的に貯蔵されている映像信号/映像データを処理して、ディスプレーパネル上に映像で表示する。一般の使用者に提供されるディスプレー装置の具現の例示としてはＴＶ又はモニターなどがあって、例えばＴＶに具現されたディスプレー装置は外部から受信される放送信号をデコーディング、スケーリングなどのような多様な映像処理プロセスを通じて使用者が求める放送チャンネルの映像に提供する。
【０００３】
使用者はリモートコントローラのような使用者の入力部を操作して求めるチャンネルを選択することができる。例えば、使用者はリモートコントローラに具備された数字のキーパッドを操作して求めるチャンネル(コンテンツ)の番号を入力する方式でチャンネルを選択する。
【発明の概要】
【発明が解決しようとする課題】
【０００４】
最近ではコンテンツの多様化でチャンネルの数が多くなって使用者がチャンネルの番号を一々覚えるのは難しいことである。また、タッチ感知センサーが具備されたリモートコントローラの場合数字のキーパッドなし２−４個の少ない数のボタンを具備する場合が多くて、使用者が求めるチャンネルを選択するまでいろんな段階の複雑な操作を必要とする場合が発生することがある。
【課題を解決するための手段】
【０００５】
本発明の実施例によるディスプレー装置は、映像信号を処理する映像処理部と；前記処理された映像信号を映像で表示するディスプレー部と；チャンネル番号の入力のための使用者の入力を受信すると、以前入力されたチャンネル番号の目録を表示するように前記ディスプレー部を制御する制御部を含む。
【０００６】
前記制御部は、所定のチャンネル番号が入力されて前記入力されたチャンネルを選局する使用者の入力を受信すると、前記入力されたチャンネル番号を前記チャンネル番号の目録に追加して、表示するように前記ディスプレー部を制御することができる。
【０００７】
前記チャンネル番号を入力する使用者の入力は前記チャンネル番号の目録に表示されたチャンネル番号のうちいずれか一つを選択することができる。
【０００８】
前記ディスプレー部はチャンネル番号を入力するために数字のキーパッドを含む使用者のインターフェースを更に表示して、前記チャンネルの番号を入力する使用者の入力は前記数字のキーパッドに含まれた数字のうち少なくとも一つを選択することができる。
【０００９】
前記チャンネルの番号を入力するための数字のキーパッドを含む使用者の入力部を更に含めて、前記チャンネルの番号を入力する使用者の入力は前記数字のキーパッドに含まれた数字のうち少なくとも一つを選択することができる。
【００１０】
前記ディスプレー部は前記チャンネル番号の目録を下降順、上昇順及びチャンネル選択の日時のうちいずれか一つを基準として整列、表示することができる。
【００１１】
前記制御部は、所定期間の間選択されたチャンネル番号を前記チャンネル番号の目録に表示することができる。一方、本発明の実施例によるディスプレー装置の制御方法は、チャンネル番号の入力のための使用者の入力を受信する段階と；以前入力されたチャンネル番号の目録を表示する段階を含む。
【００１２】
所定のチャンネル番号を入力する段階と；前記入力されたチャンネルを選局する使用者の入力を受信する段階よと；前記入力されたチャンネルの番号を前記チャンネル番号の目録に追加して表示する段階を更に含むことができる。
【００１３】
前記チャンネル番号の目録に表示されたチャンネル番号のうちいずれか一つを選択する段階を更に含むことができる。前記チャンネル番号を入力するための数字のキーパッドを含む使用者のインターフェースを表示する段階を更に含めて、前記チャンネル番号を入力する使用者の入力は前記数字のキーパッドに含まれた数字のうち少なくとも一つを選択することができる。
【００１４】
前記ディスプレー装置はチャンネル番号を入力するために数字のキーパッドを含む使用者の入力部を更に含めて、前記チャンネルの番号を入力する使用者の入力は前記数字のキーパッドに含まれた数字のうち少なくとも一つを選択することができる。
【００１５】
前記チャンネルの番号の目録を表示する段階は、前記チャンネル番号の目録を下降順、上昇順及びチャンネル選択の日時のうちいずれか一つを基準として整列、表示することができる。前記チャンネル番号の目録を表示する段階は、所定期間の間選択されたチャンネルの番号を前記チャンネルの番号の目録に表示することができる。
【発明の効果】
【００１６】
このように、チャンネル選択の時以前使用者によって入力されたチャンネル番号の目録を表示して、入力されたチャンネル番号で始まる自動完成の目録を表示して、チャンネルの選択にあって使用者の便宜性を向上させることができる。
【図面の簡単な説明】
【００１７】
【図１】本発明の一実施例によるディスプレー装置の構成を図示したブロック図である。
【図２】ディスプレー装置でディスプレー部に表示される画面を図示した図である。
【図３】ディスプレー装置でディスプレー部に表示される画面を図示した図である。
【図４】ディスプレー装置でディスプレー部に表示される画面を図示した図である。
【図５】ディスプレー装置でディスプレー部に表示される画面を図示した図である。
【図６】ディスプレー装置でディスプレー部に表示される画面を図示した図である。
【図７】ディスプレー装置でディスプレー部に表示される画面を図示した図である。
【図８】ディスプレー装置でディスプレー部に表示される画面を図示した図である。
【図９】本発明の実施例によるディスプレー装置の制御方法を図示した流れ図である。
【図１０】本発明の実施例によるディスプレー装置の制御方法を図示した流れ図である。
【発明を実施するための形態】
【００１８】
以下、添付された図面を参照して本発明の好ましい実施例に関して詳しく説明する。
【００１９】
図１は本発明の一実施例によるディスプレー装置１００の構成を図示したブロック図である。図１で図示されたように、ディスプレー装置１００は外部の映像供給源(図示せず)から提供される映像信号を既設定された映像処理プロセスによって処理して映像に表示する。
【００２０】
本実施例でディスプレー装置１００は放送局の送出装備から受信される放送信号／放送情報／放送データに基づいた放送映像を表示するＴＶに具現される場合に関して説明する。しかし、本発明の思想がディスプレー装置１００の具現の例示に限定されないところ、ディスプレー装置１００はＴＶ以外にも映像を表示することができる多様な種類の具現の例示が適用されることができる。又、ディスプレー装置１００は表示できる映像の種類が放送の映像に限定されないところ、例えばディスプレー装置１００は多様な形式の映像供給源(図示せず)から受信される信号／データに基づいた動画、停止映像、アプリケーション（ａｐｐｌｉｃａｔｉｏｎ）ＯＳＤ（ｏｎ−ｓｃｒｅｅｎ  ｄｉｓｐｌａｙ），多様な動作の制御のためのＧＵＩ（ｇｒａｐｈｉｃ  ｕｓｅｒ  ｉｎｔｅｒｆａｃｅ，以下ＵＩ（ｕｓｅｒ  ｉｎｔｅｒｆａｃｅ）と言う）などの映像を表示することができる。
【００２１】
図１に図示されたように、ディスプレー装置１００は映像信号を受信する映像受信部１１０と、映像受信部１１０に受信される映像信号を処理する映像処理部１２０と、映像処理部１２０によって処理される映像信号を映像に表示するディスプレー部１３０と、使用者の入力を受信する使用者の入力部１４０と、各種のデータが貯蔵される貯蔵部１５０と、ディスプレー装置１００を制御する制御部１６０を含む。
【００２２】
映像受信部１１０は映像の信号を受信して映像処理部１２０に伝達して、受信する映像信号の規格及びディスプレー装置１００の具現の形態に対応して多様な方式に具現されることができる。例えば、映像受信部１１０は放送局(図示せず)から送出されるＲＦ（ｒａｄｉｏ  ｆｒｅｑｕｅｎｃｙ）信号を無線で受信したり、コンポジット(ｃｏｍｐｏｓｉｔｅ)ビデオ、コンポーネント(ｃｏｍｐｏｎｅｎｔ)ビデオ、スーパービデオ(ｓｕｐｅｒ  ｖｉｄｅｏ),ＳＣＡＲＴ，ＨＤＭＩ(ｈｉｇｈ  ｄｅｆｉｎｉｔｉｏｎ  ｍｕｌｔｉｍｅｄｉａ  ｉｎｔｅｒｆａｃｅ)規格などによる映像信号を有線で受信することができる。映像信号部１１０は映像信号が放送信号である場合、この放送信号をチャンネル別にチューニングするチューナー（ｔｕｎｅｒ）を含む。
【００２３】
又、映像信号は外部機器から入力されることができて、例えば、映像信号はＰＣ、ＡＶ機器、スマート携帯、スマートパッドなとのような外部機器から入力されることができる。又、映像信号はインタネットのようなネットワークを通じて受信されるデータから起因したものである。この場合、ディスプレー装置１００は、図示されないが、ネットワークを通じて通信を遂行するネットワークの通信部を更に含むことができる。又、映像信号はフラッシュメモリー、ハードディスクのような持久記憶装置部１５０に貯蔵されたデータから起因したものである。貯蔵部１５０は、ディスプレー装置１００の内部又は外部に設けられることができて、外部に設けられる場合貯蔵部１５０が連結される連結部（図示せず）を更に含むことができる。
【００２４】
映像処理部１２０は映像信号に対して既設定された多様な映像処理のプロセスを遂行する。映像処理部１２０はこうゆうプロセスを遂行した映像信号をディスプレー部１３０に出力することで、ディスプレー部１３０に映像が表示されるようにする。
【００２５】
映像処理部１２０が遂行する映像処理プロセスの種類は検定されないで、例えば多様な映像フォーマットに対応するデコーディング（ｄｅｃｏｄｉｎｇ）デインタレーシング（ｄｅ−ｉｎｔｅｒｌａｃｉｎｇ）フレームリフレッシュレート（ｆｒａｍｅ  ｒｅｆｒｅｓｈ  ｒａｔｅ）変換、スケーリング（ｓｃａｌｉｎｇ），映像画質改選のためのノイズ減少（ｎｏｉｓｅ  ｒｅｄｕｃｔｉｏｎ）ディテール強化（ｄｅｔａｉｌ  ｅｎｈａｎｃｅｍｅｎｔ），ラインスキャニング（ｌｉｎｅ  ｓｃａｎｎｉｎｇ）などを含むことができる。映像処理部１２０はこうゆう各プロセスを独自的に遂行することができる個別的構成のグループに具現されたり、又は様々な機能を統合させたＳｏＣ（ｓｙｓｔｅｍ−ｏｎ−ｃｈｉｐ）に具現されることができる。
【００２６】
ディスプレー部１３０は映像処理部１２０によって処理される映像信号に基づいて映像を表示する。ディスプレー部１３０の具現方式は限定されないで、例えば液晶（ｌｉｑｕｉｄ  ｃｒｙｓｔａｌ）プラズマ（ｐｌａｓｍａ）ルミネセンスダイオード（ｌｉｇｈｔ−ｅｍｉｔｔｉｎｇ  ｄｉｏｄｅ）有機発光ダイオード（ｏｒｇａｎｉｃ  ｌｉｇｈｔ−ｅｍｉｔｔｉｎｇ  ｄｉｏｄｅ）表面伝導型電子放出素子（ｓｕｒｆａｃｅ−ｃｏｎｄｕｃｔｉｏｎ  ｅｌｅｃｔｒｏｎ−ｅｍｉｔｔｅｒ），カーボンナノチューブ（ｃａｒｂｏｎ  ｎａｎｏ−ｔｕｂｅ），ナノ液晶（ｎａｎｏ−ｃｒｙｓｔａｌ）などの多様なディスプレー方式に具現されることができる。
【００２７】
ディスプレー部１３０はその具現方式によって付加的な構成を追加的に含むことができる。例えば、ディスプレー部１３０が液晶方式である場合、ディスプレー部１３０は液晶ディスプレーパネル（図示せず）と、これに光を供給するバックライトユニット（図示せず）と、パネル（図示せず）を駆動させるパネル駆動機板（図示せず）を含む。
【００２８】
使用者の入力部１４０は使用者の操作及び入力によって、既設定された多様な制御コマンド又は限定されない情報を制御部１６０に伝達する。使用者の入力部１４０はディスプレー装置１００の外側に設置されたメニューキー（ｍｅｎｕ−ｋｅｙ）及び数字のキーパッドを含む入力パネル（ｐａｎｅｌ）や、ディスプレー装置１００と分離離隔されたリモートコントローラ（ｒｅｍｏｔｅ  ｃｏｎｔｒｏｌｌｅｒ）などに具現される。使用者の入力部１４０がリモートコントローラに具現される場合、使用者の入力部１４０が制御部１６０に使用者の入力を転送する方式には制限がなく、無線通信を使用することができる。無線通信は、赤外線通信、ＲＦ通信などを含む。この場合、ディスプレー装置１００は、図示されないが、使用者の入力部１４０から受信される使用者の入力に対応する信号を受信してこれを制御部１６０に伝達する通信モジュールを更に含むことができる。
【００２９】
又、リモートコントローラーに具現された使用者の入力部１４０は使用者のタッチの入力を受信するタッチ感知センサーを含むことができる。使用者のタッチ入力は様々で、タップ（ｔａｐ）、タップより強くタッチするクリック（ｃｌｉｃｋ）、ダブルクリック、ドラック（ｄｒａｇ）、スライド、プリキング（ｆｌｉｃｋｉｎｇ）などすべて含む。
【００３０】
又、リモートコントローラーに具現された使用者の入力部１４０はモーションセンサーが搭載されたポインティング装置を含むことができる。モーションセンサーはジャイロセンサー、角速度センサー、地磁気センサーを含む。リモートコントローラはモーションセンサーの感知結果に基づいてモーションの情報を算出して、これに対応するコマンドをディスプレー装置１００に転送する。
【００３１】
又、リモートコントローラに具現された使用者の入力部１４０は各種のメニューのキーパッド、数字のキーパッド、方向キー（４方向のボタン）などの使用者の操作ができるボタンを含むことができる。
【００３２】
一方、使用者の入力部１４０はディスプレー部１３０に使用者が選択できるように表示されるＵＩを含むことができる。ここで、ディスプレー部１３０がタッチスクリーン（ｔｏｕｃｈ−ｓｃｒｅｅｎ）である場合、使用者の入力部１４０は使用者がディスプレー部１３０のＵＩをタッチして受信される使用者の入力に対応するコマンドを制御部１６０に伝達することもできる。
【００３３】
又、使用者はリモートコントローラに設けられた方向キー、タッチ感知センサーなどを操作して、ディスプレー部１３０に表示されたＵＩを選択することができる。本発明の実施例では使用者が使用者の入力部１４０としてリモートコントローラを操作してディスプレー部１３０に表示されたＵＩを選択する実施例に関して説明する。しかし、本発明の思想がこれに限定されないので、リモートコントローラー外にも多様な使用者の入力による例示が適用されることができる。
【００３４】
貯蔵部１５０は制御部１６０の制御によって限定されないデータが貯蔵される。貯蔵部１５０はフラッシュメモリ（ｆｌａｓｈ−ｍｅｍｏｒｙ），ハードディスクドライブ（ｈａｒｄ−ｄｉｓｃ  ｄｒｉｖｅ）のような持久記憶媒体に具現される。貯蔵部１５０は制御部１６０によってアクセスされて、制御部１６０によるデータの読取／記録／修正／削除／更新などが遂行される。
【００３５】
貯蔵部１５０に貯蔵されるデータは、例えばディスプレー装置１００の駆動のためのオペレティングシステムを始め、このオペレティングシステム上で実行することができる多様なアプリケーション、映像データ、付加データなどを含む。
【００３６】
本発明の実施例の貯蔵部１５０では使用者によって以前選択されたチャンネル番号の情報が貯蔵される。貯蔵された以前チャンネル番号の情報はチャンネル番号の入力のための使用者の入力に対応して制御部１６０の制御によってディスプレー部１３０にチャンネル番号の目録に表示される。
【００３７】
制御部１６０はディスプレー装置１００の多様な構成に対する制御動作を遂行する。例えば、制御部１６０は映像処理部１２０が処理する映像処理プロセスの進行、使用者の入力部１４０からのコマンドに対する対応制御動作を遂行することで、ディスプレー装置１００の全体の動作を制御する。
具体的に、図２を参照すると、制御部１６０は使用者の入力部１４０からチャンネル番号の入力のための使用者の入力を受信すると、以前に使用者の入力部１４０を通じて入力されたチャンネル番号の目録２２を表示するようにディスプレー部１３０を制御する。
【００３８】
図２乃至図８はディスプレー部１３０に表示される画面２０を図示した図面である。
【００３９】
図２乃至図５、図７及び図８に図示されたように、制御部１６０は使用者の入力部１４０からチャンネル番号の入力のための使用者の入力(例えば、チャンネル番号の入力機能の選択)を受信すると、チャンネル番号の選択のための数字のキーパッドを含む使用者のインターフェース（ＵＩ）（２１）（ＯＳＤ）と、以前に使用者の入力部１４０を通じて入力されたチャンネル番号の目録２２を画面２０に表示するようにディスプレー部１３０を制御する。
【００４０】
ここで、使用者はリモートコントローラに設けられたボタン、例えばチャンネル選択のメニューキー又はチャンネル番号の入力のための数字のキーパッドのうち少なくとも一つを選択したり、指定された動作(例えば、タッチ感知センサーを所定の距離又は回数以上にこするタッチの入力、所定距離又は回数以上の動きを伴うモーションの入力など)を遂行して、チャンネル番号の入力機能を選択することができる。また、ディスプレー装置１００は使用者のディスプレー装置１００の外側に設置されたボタン（又はパネル）の操作、タッチスクリーンに対するタッチの入力などによってチャンネル番号の入力機能を選択されることができる。
【００４１】
図２に図示されたように、チャンネル番号の目録２２は最近使用者が選択したチャンネル番号及びチャンネル名をリストの形態に表示する。ここで、チャンネル番号の目録２２に表示される項目はチャンネル番号とチャンネル名に限定されないで、ＨＤＴＶ（ｈｉｇｈ−ｄｅｆｉｎｉｔｉｏｎ  ｔｅｌｅｖｉｓｉｏｎ），３Ｄなどの映像の種類のように、使用者のチャンネルの選択に便宜を提供する多様な情報が追加されることができる。
【００４２】
図２ではチャンネル番号の目録２２に一つのチャンネルが表示された実施例を図示したが、本実施例のチャンネル番号の目録２２には複数のチャンネルが表示されることができる。又、チャンネル番号の目録２２に沢山のチャンネルが表示されることを防止するために、制御部１６０は最近所定期間(例えば、２週)の間選択されたチャンネルをチャンネル番号の目録に表示するようにディスプレー部１３０を制御することができる。
【００４３】
又、制御部１６０はチャンネル番号の目録を所定基準によって整列、表示するようにディスプレー部１３０を制御することができる。ここで、所定の基準は上昇順、下降順、チャンネル選択の日時（例えば、一番最近選択したチャンネルから上に位置するように整列）などの多様な基準が設けられることができる。
【００４４】
チャンネル番号の選択のためのＵＩ２１は図２のように、数字、文字、グラフィックを表示するアイコンなど多様な形式のＯＳＤを含む。文字は国文、英文、漢字など多用な言語を含む。
【００４５】
本発明の実施例ではチャンネル選択のＵＩ２１及びチャンネル番号の目録がディスプレー部１３０に表示される画面２０の一領域例えば、右側に表示される実施例に関して説明するが、本発明の思想がこれに限定されないので、画面２０左側、上側、下側、外側など多様な位置に表示されることができる。また、横、縦、横と縦の組合、円型、クリッドなどの多様な形態に配列されるように具現されることができる。
【００４６】
使用者は使用者の入力部１４０を操作して図２のチャンネル番号の目録２２に表示されたチャンネル番号のうちいずれか一つを選択することができる。
【００４７】
本発明の実施例によるディスプレー装置１００は使用者がチャンネル番号の目録２２を通じて簡単にチャンネルを選局することができるので、チャンネル選択にあって使用者の便宜性が向上される。つまり、コンテンツの多様化でチャンネル番号が多くても使用者がよく選択するチャンネルは制限的なので、使用者が番号を一々入力しなくても求めるチャンネルを楽に選局することができる。
【００４８】
一方、使用者はチャンネル番号の目録２２を選択せずに、図３にずしされたように数字のキーパッドを含むチャンネルの選択ＵＩ２１を利用してチャンネル番号を入力することができる。又、使用者はリモートコントローラに設けられた数字のキーパッド、方向キーなどのボタンを利用したり、ディスプレー装置１００に設けられた入力のパネルを利用してチャンネル番号を入力することもできる。
【００４９】
具体的に、使用者は使用者の入力部１４０を操作してＵＩの数字アイコンのうち第１項目２３を選択することができる。ここで、制御部１６０は複数の数字のアイコンのうち使用者の入力部１４０を通じて選択された項目つまり、図３の第１項目２３を強調して表示することができる。ここで、本発明の実施例では強調して表示することで、選択された項目をフォ−カス処理する方式に関して説明するが、これに限定されないで、ポインター、カーソル、ハイライト、ブリンク処理などの多様な処理方式が適用されることができる。
【００５０】
制御部１６０は選択された第１項目２３の選択の結果を表示パネル２６に表示するようにディスプレー部１３０を制御する。ここで、表示パネル２６は使用者の入力の結果を表示する所定の形態のフィ−ルド(例えば、入力のフィールド)になることができる。
【００５１】
図３のように第１項目２３が選択された状態で、使用者の入力部１４０から第１項目２３と他の第２項目２５を選択する使用者の入力を受信すると、制御部１６０は図４に図示されたように表示パネル２６に第１項目２３及び第２項目２５が組合された結果を表示するようにディスプレー部１３０を制御する。例えば図４に図示荒れたように、第１項目２３が数字１アイコンで、第２項目２４が数字２アイコンである場合、表示パネル２５にはこれを組合したチャンネルの番号であるＣＨ１２が表示される。
【００５２】
制御部１６０は図３のように第１項目２３の選択に対応しては第１項目２３を強調して表示し、図４のように第２項目２５の選択に対応しては第１項目２３は強調して表示せずに該当選択された第２項目２５を強調して表示するようにディスプレー部１３０を制御する。
【００５３】
本発明は強調表示のためのフォーカスを使用者の選択により移動して表示することで、使用者が現在選択された項目が何か楽に認知するようにできる。
【００５４】
使用者はチャンネル番号の入力後図５に図示されたように確認のためのエンター（ＥＮＴＥＲ）アイコン２７を選択することができる。エンターアイコン２７が選択されると、制御部１６０は、チャンネル選局のための数字の入力がすべて完了されたことに判断して、図６に図示されたように選択されたチャンネルに対応する映像信号を受信するように映像の受信部１１０を制御して、受信された映像の信号を処理するように映像処理部１２０を制御して、処理された映像信号に対応する映像を表示するようにディスプレー部１３０を制御する。制御部１６０は選局されたチャンネル番号及び選択されたチャンネルで受信されるコンテンツを表示するアイコン２８を更に表示するようにディスプレー部１３０を制御することができる。
【００５５】
ここで、制御部１６０は使用者がチャンネル番号の入力後エンターアイコン２７を選択しなくても、所定の時間が経過すると自動に該当のチャンネルを選局して、映像信号を受信及び処理して、これに対応する映像を表示するように制御することができる。
【００５６】
制御部１６０はこうして選択されたチャンネル１２−１ＥＢＳを貯蔵部１５０の最近のチャンネル情報に追加する。
【００５７】
そして、使用者の入力部１４０からチャンネル機能の選択に対する使用者の入力を受信すると、制御部１６０は貯蔵部１５０から最近のチャンネルの情報を読み取って、読み取った情報に基づいて図７に図示されたようにチャンネル番号の目録２２を表示するようにディスプレー部１３０を制御する。図７のチャンネル番号の目録２２を図２のチャンネル番号の目録と比べると、使用者が新しく選択したチャンネル１２−１ＥＢＳ２４が追加されたことを確認することができる。
【００５８】
一方、図３及び図４のように数字のアイコン２３、２５を利用してチャンネルの番号を入力する実施例で、本発明の実施例によるディスプレー装置１００の制御部１６０は図８に図示されたように、入力されたチャンネル番号に始まるチャンネルの自動完成目録３１を表示するようにディスプレー部１３０を制御することができる。
【００５９】
例えば、図８を参照すると、使用者が第１項目つまり、数字１アイコン２３を選択すると、表示パネル２６には入力の結果ＣＨ１が表示されて、入力された数字１で始まる自動完成目録３１が表示される。
【００６０】
本発明の実施例では自動完成目録３１がチャンネル番号の目録２２を代替してチャンネル番号の選択のためのＵＩ２１と共に表示される場合を例と挙げて説明するが、自動完成目録３１が表示される位置はこれに限定されないで、チャンネル番号の目録２２と自動完成目録３１が共に表示されることもできる。
【００６１】
使用者は使用者の入力部１４０を操作して自動完成目録３１に表示されたチャンネルのうちいずれか一つ３３を選択することができる。制御部１６０は図８のように選択されたチャンネル１２−１ＥＢＳ３３に対応する映像信号を受信するように映像受信部１１０を制御して、受信された映像信号を処理するように映像処理部１２０を制御して、処理された映像信号に対応する映像を表示するようにディスプレー部１３０を制御する。制御部１６０は選局されたチャンネルの番号及び選択されたチャンネルで受信されるコンテンツを表示するアイコン２８を更に表示するようにディスプレー部１３０を制御することができる。
【００６２】
以下、本実施例によるディスプレー装置１００の制御方法に関して図面を参照して説明する。
【００６３】
図９及び図１０は本発明の実施例によるディスプレー装置１００の制御方法を図示した流れ図である。
【００６４】
図９に図示されたように、使用者はリモートコントローラのような使用者の入力部１４０を操作してチャンネル番号の入力のための使用者の入力を受信することができるＳ３０１。
【００６５】
制御部１６０は以前に使用者の入力部１６０によって選択されたチャンネル番号の目録２２を表示するようにディスプレー部１３０を制御するＳ３０３。ここで、制御部１６０は貯蔵部１５０から最近のチャンネル情報を読み取って、これに対応するチャンネル番号の目録２２を表示するようにディスプレー部１３０を制御することができる。
【００６６】
使用者は段階Ｓ３０３で表示されたチャンネル番号の目録である一つのチャンネルを選択したり、チャンネル選択のためのＵＩ２１又は数字のキーパッドを利用してチャンネルの番号を入力する方式などを通じて視聴しようとするチャンネルのチャンネル番号を入力してチャンネルを選局するＳ３０５。
【００６７】
制御部１６０は段階Ｓ３０５で選局されたチャンネルに対応する映像を表示するようにディスプレー部１３０を制御するＳ３０７。例えば、制御部１６０は該当チャンネル番号の映像信号を受信及び処理して、処理された映像信号に対応する映像を表示するように映像受信部１１０、映像処理部１２０及びディスプレー部１３０を制御することになる。
【００６８】
そして、段階Ｓ３０５で選局されたチャンネルは貯蔵部１５０の以前のチャンネル情報に貯蔵されて、次にチャンネル機能の選択に対応して表示される以前に入力されたチャンネル番号の目録２２に追加して表示されるＳ３０９。
【００６９】
図１０に図示された実施例はチャンネルの自動完成目録３１を更に表示するところで図９の実施例と差がある。図１０に図示されたように、使用者はリモートコントローラのような使用者の入力部１４０を操作してチャンネル番号の入力のための使用者の入力を受信することができるＳ４０１。
【００７０】
制御部１６０は以前に使用者の入力部１６０によって選択されたチャンネル番号の目録２２を表示するようにディスプレー部１３０を制御するＳ４０３。ここで、制御部１６０は貯蔵部１５０から最近のチャンネル情報を読み取って、これに対応するチャンネル番号の目録２２を表示するようにディスプレー部１３０を制御することができる。
【００７１】
使用者はチャンネル選択のためのＵＩ２１を利用してチャンネル番号を入力するＳ４０５。
【００７２】
制御部１６０は段階Ｓ４０５で入力されたチャンネル番号で始まる自動完成目録３１を表示するようにディスプレー部１３０を制御するＳ４０７。
【００７３】
使用者は段階Ｓ４０７で表示される自動完成目録３１である一つのチャンネルを選択する方式を通じて視聴しようとするチャンネルを選局するＳ４０９。
【００７４】
制御部１６０は段階Ｓ４０９で選局されたチャンネルに対応する映像を表示するようにディスプレー部１３０を制御するＳ４１１。例えば、制御部１６０は該当チャンネル番号の映像信号を受信及び処理して、処理された映像信号に対応する映像を表示するように映像受信部１１０、映像処理部１２０及びディスプレー部１３０を制御することになる。
【００７５】
そして、段階Ｓ４０９で選局されたチャンネルは貯蔵部１５０の以前のチャンネル情報に貯蔵されて、次にチャンネル機能の選択に対応して表示されるチャンネル番号の目録２２に追加して表示されるＳ４１３。
【００７６】
このように、本発明の実施例によると、チャンネル選択の時以前使用者によって入力されたチャンネル番号の目録を表示して、入力されたチャンネル番号で始まる自動完成の目録を表示して、チャンネルの選択にあって使用者の便宜性を向上させることができる。
【００７７】
以上、好ましい実施例を通じて本発明に関して詳しく説明したが、本発明はこれに限定されることではなく特許請求範囲の内で多様に実施されることができる。
【符号の説明】
【００７８】
１００  ディスプレー装置
１１０  映像受信部
１２０  映像処理部
１３０  ディスプレー部
１４０  使用者の入力部
１５０  貯蔵部
１６０  制御部
【図１】
2013143777.tif 000003
【図２】
2013143777.tif 000004
【図３】
2013143777.tif 000005
【図４】
2013143777.tif 000006
【図５】
2013143777.tif 000007
【図６】
2013143777.tif 000008
【図７】
2013143777.tif 000009
【図８】
2013143777.tif 000010
【図９】
2013143777.tif 000011
【図１０】
2013143777.tif 000012